(57)【要約】【課題】  フラッシュ撮影時、被写体がフラッシュの調光範囲外にある場合に、より良好な画像を撮影すること。【解決手段】  フラッシュ部１１１を用いた撮像が可能な撮像装置（１００）であって、撮像手段により撮像して得られた画像データの輝度情報に基づいて、露光時間を含む露出条件を求める露出制御手段（１０６、１１７）と、取得した画像データから、被写体を検出する被写体検出部（１１５）と、検出された被写体までの距離を求める距離検出部（１１６）と、被写体までの距離がフラッシュ部の調光範囲内にある場合に、フラッシュ部を用いた撮像を行い、それ以外の場合に、フラッシュ部を用いずに撮像を行うと判断する発光判定部（１１７）と、フラッシュ部を用いた撮影を行うと判断された場合に、輝度情報に基づいて、フラッシュ部に発光させる発光量を求めるＥＦ処理部（１１０）とを有する。【選択図】  図１
2010181842.tif 000002
【特許請求の範囲】
【請求項１】
発光装置を用いた撮像が可能な撮像装置であって、
撮像手段により撮像して得られた画像データの輝度情報に基づいて、露光時間を含む露出条件を求める露出制御手段と、
前記画像データから、被写体を検出する被写体検出手段と、
前記検出された被写体までの距離を求める距離検出手段と、
前記被写体までの距離が前記発光装置の調光範囲内にある場合に、前記発光装置を用いた撮像を行い、それ以外の場合に、前記発光装置を用いずに撮像を行うと判断する判断手段と、
前記判断手段により前記発光装置を用いた撮影を行うと判断された場合に、前記輝度情報に基づいて、前記発光装置に発光させる発光量を求める演算手段と
を有することを特徴とする撮像装置。
【請求項２】
前記判断手段は、前記露出制御手段により求めた露光時間が予め設定された露光時間よりも長く、且つ、前記被写体までの距離が前記発光装置の調光範囲内にある場合に、前記発光装置を用いて撮像を行うと判断することを特徴とする請求項１に記載の撮像装置。
【請求項３】
前記被写体の動き量を検出する動き検出手段を更に有し、
前記判断手段は、前記被写体までの距離が前記発光装置の調光範囲外にある場合であっても、前記被写体の動き量が第１の閾値を超える場合には、前記発光装置を用いて撮像を行うと判断することを特徴とする請求項１または２に記載の撮像装置。
【請求項４】
前記判断手段は、前記被写体までの距離が前記発光装置の調光範囲外にある場合であっても、前記被写体の動き量が第１の閾値以下であって、且つ、前記露出条件が予め決められた露出条件の範囲外にある場合には、前記発光装置を用いて撮像を行うと判断することを特徴とする請求項３に記載の撮像装置。
【請求項５】
前記撮像装置の動き量を検出するぶれ検出手段を更に有し、
前記判断手段は、前記被写体までの距離が前記発光装置の調光範囲外にある場合であっても、前記ぶれ検出手段により検出した前記撮像装置の動き量が第２の閾値を超える場合には、前記発光装置を用いた撮像を行うと判断することを特徴とする請求項１乃至４のいずれか１項に記載の撮像装置。
【請求項６】
撮像装置と共に用いられる発光装置の制御方法であって、
撮像手段により撮像して得られた画像データの輝度情報に基づいて、露光時間を含む露出条件を求める露出制御工程と、
前記画像データから、被写体を検出する被写体検出工程と、
前記検出された被写体までの距離を求める距離検出工程と、
前記被写体までの距離が前記発光装置の調光範囲内にある場合に、前記発光装置を用いた撮像を行い、それ以外の場合に、前記発光装置を用いずに撮像を行うと判断する判断工程と、
前記判断工程により前記発光装置を用いた撮影を行うと判断された場合に、前記輝度情報に基づいて、前記発光装置に発光させる発光量を求める演算工程と
を有することを特徴とする発光装置の制御方法。
【発明の詳細な説明】
【技術分野】
【０００１】
本発明は、撮像装置及び撮像装置と共に用いられる発光装置の制御方法に関するものである。
【背景技術】
【０００２】
従来からデジタルカメラなどの撮像装置による撮影において、撮影対象が暗い場合に、シャッタスピードを遅くすることで、撮影した被写体の輝度を適正にすることが行われている。しかしながら、シャッタスピードを遅くした場合、手ぶれや被写体ぶれといった弊害を起こす可能性があるため、例えば引用文献１に記載されているように、フラッシュにより光量不足を補うことも一般的に行われている。
【０００３】
ここで、フラッシュの発光量は、通常、被写体とカメラの距離がある一定の範囲（調光範囲）に収まっている場合に適正な明るさを保てるように調整されている。
【先行技術文献】
【特許文献】
【０００４】
【特許文献１】特開平０８−００６１１３号公報
【発明の概要】
【発明が解決しようとする課題】
【０００５】
しかしながら、例えば、被写体がフラッシュの調光範囲を超えて至近側に寄ってしまった場合には、発光量が過剰となって被写体が白とびを起こし、フラッシュを用いて撮像を行うことで逆に画質が低下してしまうことがある。
【０００６】
本発明は上記問題点を鑑みてなされたものであり、フラッシュ撮影を行う場合に、被写体がフラッシュの調光範囲外にある場合に、より良好な画像を撮影できるようにすることを目的とする。
【課題を解決するための手段】
【０００７】
上記目的を達成するために、発光装置を用いた撮像が可能な本発明の撮像装置は、撮像手段により撮像して得られた画像データの輝度情報に基づいて、露光時間を含む露出条件を求める露出制御手段と、前記画像データから、被写体を検出する被写体検出手段と、前記検出された被写体までの距離を求める距離検出手段と、前記被写体までの距離が前記発光装置の調光範囲内にある場合に、前記発光装置を用いた撮像を行い、それ以外の場合に、前記発光装置を用いずに撮像を行うと判断する判断手段と、前記判断手段により前記発光装置を用いた撮影を行うと判断された場合に、前記輝度情報に基づいて、前記発光装置に発光させる発光量を求める演算手段とを有する。
【０００８】
また、撮像装置と共に用いられる発光装置の本発明の制御方法は、撮像手段により撮像して得られた画像データの輝度情報に基づいて、露光時間を含む露出条件を求める露出制御工程と、前記画像データから、被写体を検出する被写体検出工程と、前記検出された被写体までの距離を求める距離検出工程と、前記被写体までの距離が前記発光装置の調光範囲内にある場合に、前記発光装置を用いた撮像を行い、それ以外の場合に、前記発光装置を用いずに撮像を行うと判断する判断工程と、前記判断工程により前記発光装置を用いた撮影を行うと判断された場合に、前記輝度情報に基づいて、前記発光装置に発光させる発光量を求める演算工程とを有する。
【発明の効果】
【０００９】
本発明によれば、フラッシュ撮影を行う場合に、被写体がフラッシュの調光範囲外にある場合に、より良好な画像を撮影することができる。
【図面の簡単な説明】
【００１０】
【図１】本発明の第１の実施形態にかかるデジタルカメラの概略構成を示すブロック図である。
【図２】本発明の第１の実施形態におけるデジタルカメラの撮像動作の概略を説明するためのフローチャートである。
【図３】本発明の第１の実施形態におけるフラッシュ発光判断処理を示すフローチャートである。
【図４】フラッシュの調光範囲の一例を示す図である。
【図５】本発明の第２の実施形態にかかるデジタルカメラの概略構成を示すブロック図である。
【図６】本発明の第２の実施形態におけるフラッシュ発光判断処理を示すフローチャートである。
【発明を実施するための形態】
【００１１】
以下、添付図面を参照して本発明を実施するための最良の形態を詳細に説明する。
【００１２】
＜第１の実施形態＞
●撮像装置の構成
本第１の実施形態では、撮像装置としてデジタルカメラを用いた場合について説明する。図１は、第１の実施形態に係るデジタルカメラ１００の機能構成を示すブロック図である。
【００１３】
１０１は操作部であり、デジタルカメラ１００の操作者が各種指示を入力するために操作するスイッチやボタンなどにより構成されている。操作部１０１にはシャッタボタンも含まれており、このシャッタボタンが半押しされた状態では、ＳＷ１がＯＮとなり、操作部１０１から制御部１０２に通知される。また、シャッタボタンが全押しされるとＳＷ２がＯＮとなり、操作部１０１から制御部１０２に通知される。半押し（ＳＷ１  ＯＮ）、全押し（ＳＷ２  ＯＮ）により実行される処理の一例として、半押しでフォーカス及び露出をロックし、続けて全押しすることで撮像画像を取り込む処理が挙げられる。
【００１４】
１０３はＣＣＤやＣＭＯＳセンサに代表される撮像素子、１０８ａはレンズである。図１では便宜上１枚のレンズにより表しているが、実際には、フォーカスレンズを含む複数のレンズから構成されている。また、１０９ａは露出機構で、メカニカルシャッタを含む。撮像素子１０３はレンズ１０８ａ及び露出機構１０９ａを介して入射する光を受け、その光量に応じた電荷を蓄積する。そして、蓄積された電荷はシフトレジスタに読み出され、転送パルスにより、電圧信号として順次読み出される。
【００１５】
Ａ／Ｄ変換部１０４は、撮像素子１０３から出力されたアナログ画像信号に対して、サンプリング、ゲイン調整、Ａ／Ｄ変換等を行い、デジタル画像データを出力する。
【００１６】
画像処理部１０５は、Ａ／Ｄ変換部１０４から出力されたデジタル画像データに対して各種の画像処理を行い、処理済みのデジタル画像データを出力する。例えば、Ａ／Ｄ変換部１０４から受けたデジタル画像データをＹＵＶ画像データに変換して出力する。
【００１７】
１０２は制御部であり、図１に示すデジタルカメラ１００の各部の動作を制御するもので、操作部１０１からの指示に応じて各部を制御する。
【００１８】
輝度検出部１０６は、Ａ／Ｄ変換部１０４から出力されるデジタル画像データを用いて、予め決められたブロック毎に輝度情報を求める。
【００１９】
被写体検出部１１５は、デジタル画像データから、例えば、顔などの被写体を検出する。検出した被写体に係る情報（被写体情報）は、画面内の位置、範囲、信頼度（顔の形としての確からしさ）を含む。また、被写体検出部１１５では、時系列的に被写体情報を保持し、前後比較することで、被写体が画面内で動いているかを判別し、被写体の位置、範囲、動き量を算出する。これらの情報も被写体情報に含まれる。
【００２０】
距離検出部１１６は、ＡＦ処理を行って得られた距離情報から、被写体までの距離を算出する。求めた被写体までの距離は、制御部１０２を介してＡＦ処理部１０８に送られ、ＡＦ処理部１０８はこの被写体までの距離に基づいてレンズ１０８ａのフォーカスレンズを制御することにより焦点調節を行う。
【００２１】
発光判定部１１７では、輝度検出部１０６が求めた輝度情報、被写体検出部１１５が求めた被写体情報、距離検出部１１６が求めた距離情報に基づいて、フラッシュ発光の必要性を判断する。その際に、発光判定部１１７は輝度情報に基づいて、シャッタスピード（露光時間）と絞り量とを含む露出条件を求め、求めた露出条件を制御部１０２を介してＡＥ処理部１０９に通知する。ＡＥ処理部１０９は通知された露出条件に基づいて露出機構１０９ａを制御する。なお、フラッシュ発光の判断に係る処理は、図３を参照して詳細に後述する。フラッシュが必要と判断した場合には、ＥＦ処理部１１０に、フラッシュオンを指示する。ＥＦ処理部１１０は、フラッシュオンの指示を受けると、輝度検出部１０６が求めた輝度情報に基づいて発光量を算出し、フラッシュ部１１１（発光装置）に適切な発光量を伝え、発光させる。
【００２２】
表示部１０７は、小型液晶画面などにより構成されており、画像処理部１０５による処理済みの画像データに従った画像を表示する。
【００２３】
フォーマット変換部１１２は、画像処理部１０５から出力されたデジタル画像データ（画像データ）のフォーマットをＪＰＥＧなどのフォーマットに変換し、画像記録部１１３に出力するものである。画像記録部１１３は、フォーマット変換部１１２から受けたフォーマット変換済みの画像データを、デジタルカメラ１００内の不図示のメモリや、デジタルカメラ１００に挿入されている外部メモリなどに記録する処理を行う。
【００２４】
外部接続部１１４は、デジタルカメラ１００をＰＣ（パーソナルコンピュータ）やプリンタといった外部装置に接続するためのインターフェースとして機能する。
【００２５】
●処理の流れ
次に、上記構成を有するデジタルカメラ１００の本第１の実施形態における動作について説明する。
【００２６】
図２は本第１の実施形態のデジタルカメラ１００の撮像動作を示すフローチャートであり、操作部１０１に含まれる電源スイッチがＯＮされ、撮像モードが選択されている場合に実行される。
【００２７】
電源スイッチがＯＮの状態では、デジタルカメラ１００を構成する各部に電源が供給されると露出機構１０９ａに含まれるシャッタが開き、撮像素子１０３には、レンズ１０８ａ、露出機構１０９ａを介して光が入射する。この状態で、ステップＳ１１において撮像処理を行う。ここでは先ず、電子シャッタ制御により所定時間蓄積した電荷を読み出し、Ａ／Ｄ変換部１０４にアナログ画像信号として出力する。Ａ／Ｄ変換部１０４は、撮像素子１０３から出力されたアナログ画像信号に対して、サンプリング、ゲイン調整、Ａ／Ｄ変換等を行い、デジタル画像データとして画像処理部１０５に出力する。画像処理部１０５はこのデジタル画像データに対して各種の画像処理を行い、処理済みのデジタル画像データを出力する。
【００２８】
次に、ステップＳ１２において、処理済みのデジタル画像データに対してフォーマット変換部１１２で表示に適したフォーマットとなるようにフォーマット変換を行って、表示部１０７に表示する（スルー表示）。このように、所定フレームレートで順次得られた画像データを逐次表示部１０７に表示することで、電子ビューファインダ（ＥＶＦ）機能を実現することができる。
【００２９】
また、画像処理部１０５により処理されたデジタル画像データを表示部１０７に表示すると共に、ＡＥ処理部１０９は画面が最適な露出になるように露出機構１０９ａを制御する。更に、ＡＦ処理部１０８は被写体にピントを合わせるようにレンズ１０８ａを動作させる（ステップＳ１３）。なお、ステップＳ１２及びＳ１３の処理順は特に限られるものではなく、何れが先であっても平行して行っても構わない。また、被写体検出部１１５により、例えば顔検出を行って、顔に露出及び焦点を合わせる場合には、例えば、特開２００３‐１０７５５５号公報や特開２００４‐１８４５０８号公報に記載された方法を用いることができる。
【００３０】
そして、操作部１０１に含まれるシャッタボタンの状態を調べる。シャッタボタンが押されておらず、ＳＷ１がＯＦＦであれば（ステップＳ１４でＯＦＦ）、ステップＳ１１に戻って上記処理を繰り返す。
【００３１】
一方、ＳＷ１がＯＮであればステップＳ１５に進み、本撮影の準備を行う。撮影準備中、先ずステップＳ１５において、直前のステップＳ１３で求めた露出条件を用いてステップＳ１１と同様に撮像を行い、次のステップＳ１６において得られた画像をステップＳ１２と同様にスルー表示する。そして、ステップＳ１７において、被写体検出部１１５はステップＳ１５で得られたデジタル画像データから被写体を検出する。
【００３２】
次に、ステップＳ１８において測光及び焦点調節処理を行う。ここで、焦点調節処理では、ステップＳ１７で検出された被写体の領域のデジタル信号をもとに画面内のエッジを検出し、ＡＦ処理部１０８において操作されたフォーカスレンズの焦点距離情報から演算して得られた距離情報を取得する。そして、求めた距離に基づいて、レンズ１０８ａのフォーカスレンズを制御して焦点調節を行う。
【００３３】
次に、ステップＳ１９では、発光判定部１１７によりフラッシュを発光するか否かの判断を行う。なお、このフラッシュ発光の判断は、図３を参照して詳細に後述する。
【００３４】
ステップＳ１９のフラッシュ発光の判断処理を終えると、ステップＳ２０に進んでＳＷ２の状態を判断し、ＳＷ２がＯＦＦであればステップＳ１４に戻り、ここでＳＷ１がＯＮであれば上述したステップＳ１５〜Ｓ１９の処理を繰り返す。ステップＳ１４でさらにＳＷ１もＯＦＦと判断されると、ステップＳ１１に戻る。一方、ＳＷ２がＯＮであれば（ステップＳ２０でＯＮ）、ステップＳ２１に進み、ステップＳ１８及びＳ１９で設定された撮像条件により本撮影を行う。
【００３５】
そして、ステップＳ２２において、フォーマット変換部１１２により、画像処理部１０５から出力されたデジタル画像データのフォーマットをＪＰＥＧなどのフォーマットに変換し、画像記録部１１３に出力する。画像記録部１１３は、フォーマット変換された画像データを所定のメモリに記録する。
【００３６】
記録処理（ステップＳ２２）が終了すると、制御部１０２はＳＷ２の状態を判断し（ステップＳ２３）、ＳＷ２がＯＦＦとなるのを待ち、ＯＦＦになるとステップＳ１４に戻る。
【００３７】
次に、発光判定部１１７によりステップＳ１９で行われるフラッシュ発光判断処理について、図３を参照して詳細に説明する。
【００３８】
まず、輝度検出部１０６は、ステップＳ１５で撮像して得られたデジタル画像データをブロック分割し、各ブロックごとの輝度平均値（輝度情報）を算出する（ステップＳ２０１）。そして、発光判定部１１７は、算出された輝度情報を取得する。
【００３９】
次に、発光判定部１１７は被写体検出部１１５によりステップＳ１７で行われた被写体検出の結果である被写体情報を取得する（ステップＳ２０２）。ここで取得する被写体情報としては、顔の中心座標や顔サイズ等の被写体位置情報、性別、顔の信頼度情報などが含まれる。ここで被写体情報を時系列的に過去情報も保持しておき、最新情報と比較することで、被写体の動きも検知する。
【００４０】
そして、発光判定部１１７はステップＳ１８のＡＦ処理で得られた距離情報を取得する。ここでは被写体検出により得られた座標を基準にＡＦ処理を行っているため、検出されている主要被写体の距離情報を取得可能としている（ステップＳ２０３）。
【００４１】
次に、フラッシュを非発光で撮影する場合の、シャッタスピード（露光時間）及び絞り量等を含む露出条件を算出する（ステップＳ２０４）。ここで得られた露出条件にて撮影された場合に得られる被写体輝度を、ブロック輝度および被写体位置情報から計算し、更に、これを適性輝度とする露出条件を算出する。
【００４２】
算出された露出条件の内、シャッタスピード（Ｔｖ）が予め設定された閾値Ｔｖｔｈより速いかどうかを判断する（ステップＳ２０５）。速い場合、フラッシュを用いなくでも被写体が十分に明るく、手ぶれの影響も少ないと判断して、フラッシュの非発光判断を下す（ステップＳ２１０）。
【００４３】
一方、算出された露出条件の内、シャッタスピード（Ｔｖ）が閾値Ｔｖｔｈより速くない場合は、被写体までの距離が、フラッシュの調光範囲内に収まっているかを判断する（ステップＳ２０６）。図４に示す例では、８０ｃｍより被写体が手前にある場合には、フラッシュにより白飛びが発生する可能性が高くなるので、調光範囲外とした場合を示している。
【００４４】
調光範囲内の場合はフラッシュによる適正調光が可能なため、発光判断を下し（ステップＳ２１１）、発光条件を算出する（ステップＳ２１２）。ここでフラッシュの発光を行う場合には、制御部１０２はＥＦ処理部１１０を制御し、フラッシュ部１１１にプリ発光を行わせ、発光量の算出、ＥＦ枠の重み付けなどの処理を行う。
【００４５】
調光範囲外の場合は、被写体の動き情報を確認する（ステップＳ２０７）。ここでは被写体検出により得られた一定期間の被写体位置の推移に関する情報を用いる。ここで被写体位置の推移が画角の５%以内に収まっていない場合は、本撮影時に被写体が動く可能性があると判断して（ステップＳ２０７でＮＯ）、発光判断を下し（ステップＳ２１１）、発光条件を算出する（ステップＳ２１２）。
【００４６】
被写体が静止している（被写体の動き量が第１の閾値以下）と判断した場合は（ステップＳ２０７でＹＥＳ）、非発光時の露出条件を再算出する（ステップＳ２０９）。ここでは、被写体の動き情報を考慮し、被写体の動き量に応じてシャッタスピードＴｖの微調整を行い、露出の再計算を行う。
【００４７】
再設定された露出条件が、露出制御の限界に到達せず、適正露光範囲内である場合、即ち、露出条件が予め決められた露出条件の範囲内にある場合には、非発光判断を下し（ステップＳ２１０）、再設定された露出条件にて本撮影処理へと移る。また適正露光範囲外であった場合には、適性輝度を保つために、発光判断を下し（ステップＳ２１１）、発光条件を算出する（ステップＳ２１２）。
【００４８】
上記の通り本第１の実施形態によれば、被写体までの距離や被写体の動きの有無などに基づいて、フラッシュにより光量不足の補填をするか、フラッシュを用いずに露出条件を制御することで被写体の輝度を調整するか、を判断する。これにより、より適切にフラッシュを用いた光量調節を行うことが可能となる。
【００４９】
なお、上記第１の実施形態では、フラッシュ発光判断に被写体の動きを加味した場合について説明したが、被写体が暗い場合に、被写体の動きを加味せずに、被写体までの距離がフラッシュの調光範囲内に収まっているか否かに基づいて判断するようにしてもよい。
【００５０】
＜第２の実施形態＞
●撮像装置の構成
本第２の実施形態における撮像装置として、デジタルカメラ１００’の構成を図５に示す。図５に示す構成は、上述した図１に示す構成に、ジャイロセンサ等により構成された、デジタルカメラ１００’の動きを検出するカメラ動き検出部２１８を追加した構成である。それ以外の構成は、図１の構成と同様のため、同じ参照番号を付し、ここでは説明を省略する。なお、カメラ動き検出部としては、例えば、加速度センサやＨＶセンサなど、カメラの動き量と方向が分かるものであれば、特にジャイロセンサに限られるものではない。
【００５１】
●処理の流れ
次に、上記構成を有するデジタルカメラ１００’の本第２の実施形態における動作について説明する。
【００５２】
図６は、本第２の実施形態におけるフラッシュ発光判断処理を示すフローチャートであり、図３の代わりに、図２のステップＳ１９で行われる処理である。なお、以下の説明においては、図３と同様の処理には同じステップ番号を付し、適宜説明を省略する。
【００５３】
本第２の実施形態では、輝度情報（ステップＳ２０１）、被写体情報（ステップＳ２０２）、距離情報（ステップＳ２０３）に加えて、ステップＳ３０１において、カメラ動き検出部２１８から、デジタルカメラ１００’の動き情報を取得する。カメラ動き検出部２１８（ぶれ検出手段）は、ジャイロセンサよりカメラ回転方向の角速度情報を取得し、その変動量を一定期間取得する。そして取得した変動量の平均値を算出し、ある閾値を超えた場合にカメラが動いていると判断する。
【００５４】
次に、ステップＳ２０４において求められた、フラッシュを非発光として撮影する場合の露出条件の内、シャッタスピード（Ｔｖ）が予め設定された第１の閾値Ｔｖｔｈ１より速いかどうかを判断する（ステップＳ３０２）。本第２の実施形態では、第１の閾値Ｔｖｔｈ１は、ズームなどの画角変動に応じて異なる値が設定されているものとする。
【００５５】
そして、本第２の実施形態では、ステップＳ２０４で求めたシャッタスピードＴｖが予め設定された第１の閾値Ｔｖｔｈ１よりも速くない場合に、被写体までの距離及び被写体の静止状態の判断の他に、カメラの静止状態を判断する（ステップＳ３０３）。そして、カメラ１００’が動いていると判断した場合は、発光判断を下し（ステップＳ２１１）、発光条件を算出する（ステップＳ２１２）。
【００５６】
一方、カメラが静止していている場合は、ステップＳ２０７に進んで、被写体の動き情報を確認する。被写体が静止していると判断された場合、非発光時の露出条件を再算出する（ステップＳ２０８）。再設定された露出条件が、露出制御の限界に到達せず、適正露光範囲内である場合には（ステップＳ２０９でＹＥＳ）、ステップＳ３０４で、再設定されたシャッタスピード（Ｔｖ）が予め設定された第２の閾値Ｔｖｔｈ２より速いかどうかの判断を行う。ここで第２の閾値Ｔｖｔｈ２とは、カメラの動きが少なく、安定している状態で、手ぶれの影響が出る可能性が生じるシャッタスピードであり、第１の閾値Ｔｖｔｈ１とは異なるものとする。
【００５７】
再設定されたシャッタスピード（Ｔｖ）が第２の閾値Ｔｖｔｈ２より速い場合には、非発光判断を下し、再設定された露出条件にて本露光処理へと移る（ステップＳ２１０）。一方、第２の閾値Ｔｖｔｈ２より速くない場合には、適性輝度を保つために、発光判断を下し（ステップＳ２１１）、発光条件を算出する（ステップＳ２１２）。
【００５８】
上記の通り本第２の実施形態によれば、上述した第１の実施形態に加えて、被写体が調光範囲外にある場合に、デジタルカメラの動きと、被写体の動きが少なければ、シャッタスピードにより露出を調整できる時間を長くする。これにより、より適切にフラッシュを用いた光量調節を行うことが可能となる。
【００５９】
なお、上記の２つの実施形態では、フラッシュ発光判断にシャッタスピード（Ｔｖ）が予め設定された閾値より速いかどうかを加味しているが、シャッタスピード（Ｔｖ）を加味せずにフラッシュ発光判断を行うようにしてもよい。
【００６０】
また、フラッシュ発光判断に複数の条件を設けているが、判断に用いる順序は記載した順序に限定されず、記載した順序とは異なる順序でフラッシュ発光判断を行ってもよい。
また、フラッシュ発光判断に複数の条件を設けているが、撮影モードを複数のモードから選択できる構成であれば、選択された撮影モードに応じて使用する条件を変更するようにしても構わない。例えば、夜景シーンに特化した撮影を行う夜景モードが選択される場合、被写体の動きが小さい撮影シーンだと想定されるため、被写体が静止しているか否かをフラッシュ発光判断の条件に加味しないようにしてもよい。あるいは、カメラ本体を三脚に取り付けた三脚撮影に特化した撮影を行う三脚モードが選択される場合、カメラの動きが小さい撮影シーンが想定されるため、カメラが静止しているか否かをフラッシュ発光判断の条件に加味しないようにしてもよい。その他の撮影モードが選択される場合でも、それぞれの撮影モードが使用されると想定される撮影シーンに応じてフラッシュ発光判断に用いる条件を組み合わせればよい。ただし、被写体までの距離がフラッシュの調光範囲内に収まっているか否かはフラッシュ発光判断の条件に加味するものとする。
【００６１】
また、発光装置であるフラッシュ部がデジタルカメラに内蔵された構成となっているが、デジタルカメラに着脱可能な外部フラッシュ装置を発光装置としても構わない。
【００６２】
また、ＡＦ処理を行って得られた距離情報から被写体までの距離を算出するのではなく、その他の方法により被写体までの距離を算出してもよい。例えば、被写体検出部により検出された検出された被写体の顔の大きさから被写体までの距離を算出してもよい。
【符号の説明】
【００６３】
１０６  輝度検出部
１１０  ＥＦ処理部
１１１  フラッシュ部
１１５  被写体検出部
１１６  距離体検出部
１１７  発光判定部
２１８  カメラ動き検出部
【図１】
2010181842.tif 000003
【図２】
2010181842.tif 000004
【図３】
2010181842.tif 000005
【図４】
2010181842.tif 000006
【図５】
2010181842.tif 000007
【図６】
2010181842.tif 000008